(57)【要約】【課題】扉の開け閉めの際に、背の高い貯蔵物が、ポケットのような収容部からその収容部の上縁部を越えて、ポケット内から落下してしまうのを防ぐことができる冷蔵庫を提供する。【解決手段】冷蔵庫１は、ポケット３０と、ポケット３０の収容空間Ｔを仕切る仕切り具５０とを有し、仕切り具５０は、第１仕切り部材６０と、第２仕切り部材７０とを有する。第１仕切り部材６０は、扉８の内側面８Ｄに対して交差する方向（Ｙ方向）に沿っており、一端部６１と他端部６２がポケット３０に取り付けられ、第２仕切り部材７０は、第１仕切り部材６０から、扉８の内側面８Ｄに沿って延び出ている。仕切り具５０の上縁部（６０Ｎ、７０Ｎ）の高さ寸法Ｇは、ポケット３０の上縁部（３１Ｍ、３２Ｍ、３３Ｍ、３４Ｍ）の高さＨよりも、高く設定されている。【選択図】図３
2019152355.tif 000002
【特許請求の範囲】
【請求項１】
貯蔵室を有する本体と、
前記本体の前記貯蔵室の前面開口部を開閉する扉と、
前記扉の内側面に配置されて、貯蔵物を収容するための収容空間を有する収容部と、
前記収容部の前記収容空間を仕切るために前記収容部に取り付けられる仕切り具とを有し、
前記仕切り具は、
前記扉の前記内側面に対して交差する方向に沿っており、一端部と他端部が前記収容部に対して取り付けられる第１仕切り部材と、
前記第１仕切り部材のうち前記一端部と前記他端部との間から前記扉の前記内側面に沿って延び出ている第２仕切り部材とを有し、
前記仕切り具の上縁部の高さは、前記収容部の上縁部の高さよりも高く設定されている冷蔵庫。
【請求項２】
前記収容部は、前記扉を開いた状態で手前側に位置する手前側の壁部と、前記手前側の壁部と対面して前記扉の前記内側面に沿っている奥側の壁部と、を有し、
前記第１仕切り部材の前記一端部は、前記手前側の壁部に着脱可能に取り付けられる第１取付端部を有し、前記第１仕切り部材の前記他端部は、前記奥側の壁部に着脱可能に取り付けられる第２取付端部を有する請求項１に記載の冷蔵庫。
【請求項３】
前記第１取付端部と前記第２取付端部とは、前記手前側の壁部と前記奥側の壁部とをそれぞれはめ込んで取り付けるはめ込み用のスリット部を有する請求項２に記載の冷蔵庫。
【請求項４】
前記第２仕切り部材と、前記第１仕切り部材との取付位置を可変にする移動機構部が設けられている請求項１乃至３のいずれか１項に記載の冷蔵庫。
【請求項５】
前記第１取付端部と前記第２取付端部とは、前記手前側の壁部の内面側に形成されたガイド溝部と前記奥側の壁部の内面側に形成されたガイド溝部とに、それぞれ差し込まれて取り付けられる請求項２に記載の冷蔵庫。
【請求項６】
前記第２仕切り部材の前記上縁部は、上にいくほど前記扉の回転半径外側へ湾曲する湾曲形状にされている請求項１乃至３のいずれか１項に記載の冷蔵庫。
【発明の詳細な説明】
【技術分野】
【０００１】
本発明の実施の形態は、冷蔵庫に関する。
【背景技術】
【０００２】
冷蔵庫の扉の内側面には、ペットボトルや牛乳等の紙パック容器、缶、瓶、チューブ、卵等の貯蔵物を収容するポケットが設置されている。ペットボトルや牛乳等の紙パック容器、缶、小瓶、チューブは、このポケットにおいて、立てた状態で収容してその立てた状態の姿勢を維持する必要がある。
【０００３】
しかし、例えば背の高い瓶や、マヨネーズやケチャップ等が充填された背の高いチューブ等の貯蔵品は、細長い形状であるので、立てた状態の姿勢が不安定である。背の高い瓶やチューブ等の貯蔵品は、ポケット内に立てたとしても、扉の開け閉めにより、ポケット内で倒れてしまう。
【０００４】
このような背の高い瓶やチューブ等の貯蔵品がポケット内で倒れると、ポケットの外周の上縁部が、横たわった背の高い瓶やチューブ等の貯蔵品の一部分を覆ってしまう。このため、使用者はポケット内の背の高い瓶やチューブ等の貯蔵品を目視で識別できずに、取出しにくくなる。
【０００５】
また、従来の冷蔵庫のポケットは、外周の上縁部の高さ寸法が、立てた状態の背の高い貯蔵品の高さ寸法に比べて小さく、背の高い貯蔵品が扉の開け閉めにより、ポケットの上縁部を越えて、ポケット内から落下してしまう可能性がある。
そこで、従来の冷蔵庫では、ポケットには棒状の部材により作られた仕切りバー部を配置して、仕切りバー部が貯蔵品をポケット内で仕切って保持する構造が提案されている。
【先行技術文献】
【特許文献】
【０００６】
【特許文献１】特開２０１３−７９７６５号公報
【発明の概要】
【発明が解決しようとする課題】
【０００７】
しかし、従来の仕切りバー部は、ポケットにおいて扉の内面側に対して前後方向、すなわち扉の開閉方向に沿って配置されている。ポケット内に収容されて立てた状態の背の高い貯蔵物は、扉の開閉の際には前後方向に揺らされる。従って、仕切りバー部では状態の背の高い貯蔵物の揺れを防ぐことができない。このため、背の高い貯蔵物が、扉の開け閉めにより、ポケットの上縁部を越えて、ポケット内から落下してしまう可能性がある。
【０００８】
本発明は、上記に鑑みてなされたもので、その目的とするところは、扉の開け閉めの際に、背の高い貯蔵物が、ポケットのような収容部からその収容部の上縁部を越えて、ポケット内から落下してしまうのを防ぐことができる冷蔵庫を提供することにある。
【課題を解決するための手段】
【０００９】
本発明の実施の形態の冷蔵庫は、貯蔵室を有する本体と、前記本体の前記貯蔵室の前面開口部を開閉する扉と、前記扉の内側面に配置されて、貯蔵物を収容するための収容空間を有する収容部と、前記収容部の前記収容空間を仕切るために前記収容部に取り付けられる仕切り具とを有し、前記仕切り具は、前記扉の前記内側面に対して交差する方向に沿っており、一端部と他端部が前記収容部に対して取り付けられる第１仕切り部材と、前記第１仕切り部材のうち前記一端部と前記他端部との間から前記扉の前記内側面に沿って延び出ている第２仕切り部材とを有し、前記仕切り具の上縁部の高さは、前記収容部の上縁部の高さよりも高く設定されている。
【図面の簡単な説明】
【００１０】
【図１】第１実施形態に係わる冷蔵庫の全体を示す正面図である。
【図２】図１に示す冷蔵庫の右側の扉を、ヒンジ部を中心にして開いて、前面開口部２Ｐを開放した状態を示す斜視図である。
【図３】図２に示したポケットの好ましい構造例を示す斜視図である。
【図４】仕切り具の好ましい構造例を示す斜視図である。
【図５】複数の仕切り具が配置されることで、ポケットの収容空間Ｔが、複数の区分空間に区分されている例を示す平面図である。
【図６】第２実施形態の仕切り具５０Ａを示す斜視図である。
【図７】第３実施形態の仕切り具５０Ｂを示す斜視図である。
【図８】第４実施形態の仕切り具５０Ｃを示す斜視図である。
【図９】第４実施形態の仕切り具５０Ｃを示す平面図である。
【図１０】第５実施形態の仕切り具５０Ｄを示す斜視図である。
【発明を実施するための形態】
【００１１】
以下、図面を用いて、実施するための形態（以下、実施形態と称する）を説明する。
【００１２】
（第１実施形態）
＜冷蔵庫１の全体構成例＞
図１は、第１実施形態に係わる冷蔵庫の全体を示す正面図である。
【００１３】
図１に示す冷蔵庫１は、本体１Ａを有している。この冷蔵庫１の本体１Ａは、断熱性を有する箱型のキャビネットにより構成されていて、内部に複数の貯蔵室が形成されている。貯蔵室としては、上から順に冷蔵室２、野菜室３が設けられ、この野菜室３の下には製氷室４と小冷凍室５が左右に並べて設けられ、最下部に主冷凍室６とが設けられている。
【００１４】
このうち、上部の冷蔵室２と野菜室３は、冷蔵温度帯の貯蔵室であり、約３℃から５℃の温度に調整される。また、製氷室４と小冷凍室５と主冷凍室６とは、冷凍温度帯の貯蔵室であり、約−２０℃前後の温度に調整される。
【００１５】
本体１Ａには、図示しないが、冷蔵温度帯の貯蔵室を冷却するための冷蔵用冷却器と、冷凍温度帯の貯蔵室を冷却するための冷凍用冷却器とを含む冷凍サイクルが設けられている。
【００１６】
図１に示す本体１Ａの冷蔵室２の前面には、冷蔵室２の前面開口部２Ｐを開閉する左右の扉７、８が設けられている。左右の扉７、８は、観音開き扉であり、使用者から向かって左側の扉７の左端部が、ヒンジ部７Ｂにより本体１Ａに回動可能に取り付けられている。同様にして、使用者から向かって右側の扉８の右端部が、ヒンジ部８Ｂにより本体１Ａに回動可能に取り付けられている。
【００１７】
図１に示す野菜室３、製氷室４、小冷凍室５、主冷凍室６の各前面には、各前面開口部を開閉する引出しの扉９、１０、１１、１２が、それぞれ設けられている。
【００１８】
例えば、好ましくは、左右の扉７、８と引出しの扉９、１０、１１、１２の各前面には、前面側の外観上の見栄えを良くするために、透光性を有するガラス板である前面板７Ａ、８Ａ、９Ａ、１０Ａ、１１Ａ、１２Ａが配置されている。左右の扉７、８と、引出しの扉９、１０、１１、１２は、内部に断熱材を設けることで断熱性を有している。
【００１９】
＜右側の扉８の構成例＞
図２は、図１に示す冷蔵庫１の右側の扉８を、ヒンジ部８Ｂを中心にして開いて、前面開口部２Ｐを開放した状態を示す斜視図である。
【００２０】
図２では、右側の扉８の内側面８Ｄにおける貯蔵物の収容構造例を示している。なお、左側の扉７の内側面における貯蔵物の収容構造は、右側の扉８の内側面８Ｄにおける貯蔵物の収容構造例と、同様にして構成することもできる。
【００２１】
図２に示すように、右側の扉８の内側面８Ｄには、収容部（収容容器ともいう）としてのポケット２０、２１、３０、１３１、４０が配置されている。各ポケット２０、２１、３０、１３１、４０は、右側の扉８の内側面８Ｄにおいて、好ましくは取り外しができるように、着脱可能に取り付けられている。
【００２２】
このように、各ポケット２０、２１、３０、１３１、４０が、右側の扉８の内側面８Ｄにおいて、着脱可能に取り付けられていることで、各ポケット２０、２１、３０、１３１、４０を取り外して洗浄する作業が容易に行える。
【００２３】
また、各ポケットは、必要に応じて取り外しておくこともできるが、各ポケット２０、２１、３０、１３１、４０の少なくとも１つは、右側の扉８の内側面８Ｄにおいて、固定されている構造であっても良い。
【００２４】
各ポケット２０、２１、３０、１３１、４０は、例えば硬質プラスチックにより作られており、透明、半透明あるいは不透明のプラスチック製の容器である。なお、各ポケットは、収容する貯蔵物を使用者が目視で確認し易くするためには、透明あるいは半透明であることが好ましい。
【００２５】
図２に示すように、最上段に位置されるポケット２０は、右側の扉８の内側面８Ｄにおいて、ヒンジ部８Ｂ寄りの回転軸ＣＬ側の位置から内側面８Ｄの中間位置まで、水平方向に沿って配置されている。
【００２６】
ポケット２１は、右側の扉８の内側面８Ｄにおいて、ポケット２０の高さ位置よりもやや下の高さ位置であって、内側面８Ｄの中間位置から右側の扉８の取っ手部８Ｃ寄りの位置にまで水平方向に沿って配置されている。
【００２７】
ポケット２０は、貯蔵物としての例えば複数個の小さめの缶ビール等の缶Ｍ等を、立てた姿勢で並べて収容できる。ポケット２１は、貯蔵物としての例えば複数個のやや大型の缶ビール等の缶Ｎ等を、立てた姿勢で並べて収容できる。
【００２８】
図２に示すポケット３０は、右側の扉８の内側面８Ｄの中段位置において、ヒンジ部８Ｂ寄りの回転軸ＣＬ側の位置から、取っ手部８Ｃ寄りの位置に至るまで、水平方向に沿って配置されている。すなわち、ポケット３０は、右側の扉８の内側面８Ｄのほぼ全幅に渡って水平に配置されている。
【００２９】
このポケット３０の好ましい構造例は、後で詳しく説明するが、このポケット３０は、貯蔵物として、例えば背の高いガラスやプラスチックの瓶２００や、背の高いプラスチック製のチューブ３００等の貯蔵物（収容物ともいう）を収容できる。これらの瓶やチューブは、例えばケチャップやマヨネーズ等を収容している。
【００３０】
このポケット３０は、仕切り具５０を備えていることで、これらの背の高い貯蔵物（瓶２００，チューブ３００）を、扉８の開け閉めがあっても倒れないようにし、あるいはポケット３０内から落下しないようにする機能を有する。
【００３１】
図２に示すポケット１３１は、右側の扉８の内側面８Ｄの最下段位置において、ヒンジ部８Ｂ寄りの回転軸ＣＬ側の位置から、取っ手部８Ｃ寄りの位置に至るまで、水平方向に沿って配置されている。すなわち、ポケット１３１は、右側の扉８の内側面８Ｄのほぼ全幅に渡って水平に配置されている。このポケット１３１は、貯蔵物としての例えば大型の２リットルのペットボトルＲや、やや小型のペットボトルＳ、あるいは缶ビール等の缶Ｎ等を収容できる。
【００３２】
図２に示すポケット４０は、ポケット３０とポケット１３１の中間位置において、右側の扉８の内側面８Ｄにおいて配置されている。このポケット４０は、好ましくは右側の扉８の内側面８Ｄにおいて、ヒンジ部８Ｂ寄りの回転軸ＣＬ側の位置から、取っ手部８Ｃ寄りの位置に至るまで、水平方向に沿って配置されている。このポケット４０は、比較的小型のチューブＣＰや小瓶を収容することができる。
【００３３】
＜ポケット３０の詳細＞
次に、図２に示すポケット３０の好ましい構造例を、図３を参照して説明する。図３は、図２に示したポケット３０の好ましい構造例を示す斜視図である。
【００３４】
図３に示すように、ポケット３０は、上述したように、例えば硬質プラスチックにより作られている。このポケット３０は、透明、半透明あるいは不透明のプラスチック製の容器であるが、収容した貯蔵物を目視で確認し易くするために、透明あるいは半透明であることが好ましい。
【００３５】
ポケット３０は、扉８の内側面８Ｄに対して着脱可能に取り付けられている。これにより、ポケット３０は、必要に応じて取り外して、洗浄することができる。あるいは、使用者が、ポケット３０を使用しない場合には、ポケット４０を扉８の内側面８Ｄから取り外しておくこともできる。
【００３６】
ポケット３０は、手前側の壁部３１と、奥側の壁部３２と、第１側部３３と、第２側部３４と、底部３５とを有している。好ましくは、図３に示すように、手前側の壁部３１と、奥側の壁部３２と、第１側部３３と、第２側部３４と、底部３５とは、好ましくは平坦である。これらの手前側の壁部３１と、奥側の壁部３２と、第１側部３３と、第２側部３４と、底部３５とは、貯蔵物を収容するための収容空間Ｔを形成している。この収容空間Ｔは、直方体形状の空間である。
【００３７】
図３に示すように、手前側の壁部３１と奥側の壁部３２とは、間隔をおいて、Ｘ方向にほぼ平行になるように形成されている。第１側部３３および第２側部３４は、Ｙ方向に沿ってほぼ平行になるように形成されている。
【００３８】
ここで、Ｘ方向は、扉８の内側面８Ｄの幅方向であり、Ｙ方向は、扉８の内側面８Ｄにおいて奥行方向であり、Ｚ方向は、扉８の内側面８Ｄにおいて垂直方向である。Ｘ方向とＹ方向からなるＸ−Ｙ平面は、冷蔵庫１における水平面である。
【００３９】
手前側の壁部３１は、扉８の内側面８Ｄから離れた位置にあり、使用者から見て、扉８を開いたときのＹ方向に関して手前にある壁である。奥側の壁部３２は、扉８の内側面８Ｄに接するか近い位置にあり、使用者からみて、Ｙ方向に関して奥にある壁である。
【００４０】
＜仕切り具５０の詳細＞
次に、ポケット３０に配置されている仕切り具５０について、図３から図５を参照して、説明する。図３では、ポケット３０には、例えば２つの仕切り具５０，５０が配置されている例を示している。図４は、仕切り具５０の好ましい構造例を示す斜視図である。図５は、複数の仕切り具５０が配置されることで、ポケット３０の収容空間Ｔが、複数の区分空間に区分されている例を示す平面図である。
【００４１】
図２と図３に示すように、ポケット３０は、一例として２つの仕切り具５０を備えている。図３に示すように、ポケット３０の収容空間Ｔは、仕切り具５０，５０により、複数の区分空間Ｔ１、Ｔ２、Ｔ３、Ｔ４、Ｔ５に仕切られている。仕切り具５０の材質は、好ましくはポケット３０の材質と同じか類似するものを使用できる。仕切り具５０は、例えば硬質プラスチックにより作られており、透明、半透明あるいは不透明のプラスチック製の容器であるが、収容した貯蔵物を目視で確認し易くするために、透明あるいは半透明であることが好ましい。
【００４２】
図４と図３に示すように、この仕切り具５０は、第１仕切り部材６０と、第２仕切り部材７０とを有している。第１仕切り部材６０と第２仕切り部材７０とは、好ましくは収容空間Ｔを、複数の区分空間に仕切るために、板状である。第１仕切り部材６０は、扉８の内側面８Ｄに対して交差する方向であるＹ方向に沿って、ポケット３０に着脱可能に取り付けられている。第２仕切り部材７０は、第１仕切り部材６０から、扉８の内側面８Ｄに沿って延びている。図３に例示するように、例えばポケット３０の収容空間Ｔは、２つの仕切り具５０,５０により、複数の区分空間Ｔ１、Ｔ２、Ｔ３、Ｔ４、Ｔ５に仕切られている。
【００４３】
図４と図３に示すように、第１仕切り部材６０は、ほぼ長方形状の板部材であり、Ｙ方向の端部として一端部６１と他端部６２とを有する。第１仕切り部材６０の一端部６１と他端部６２は、ポケット３０の手前側の壁部３１と奥側の壁部３２に対して、それぞれ着脱可能に取り付けられている。図３に示すように、第１仕切り部材６０の一端部６１は、第１取付端部６３を有する。同様にして、第１仕切り部材６０の他端部６２は、第２取付端部６４を有する。
【００４４】
第１取付端部６３は、はめ込み用のスリット部６５を有し、第２取付端部６４は、同様にはめ込み用のスリット部６６を有する。はめ込み用のスリット部６５，６６のスリット幅Ｗ（図４を参照）は、ポケット３０の手前側の壁部３１と奥側の壁部３２の各厚みとほぼ同じか、やや大きい。従って、図３に示すように、仕切り具５０の第１取付端部６３のスリット部６５には、ポケット３０の手前側の壁部３１の適切な位置をはめ込まれ、これと同時に、仕切り具５０の第２取付端部６４のスリット部６６には、ポケット３０の奥側の壁部３２の適切な位置をはめ込まれる構成にされている。
【００４５】
この構成により、第１仕切り部材６０は、扉８の内側面８Ｄに対して交差する方向であるＹ方向に沿って、ポケット３０に着脱可能に取り付けることができる。第１仕切り部材６０は、ポケット３０の収容空間Ｔ内を、左右に分けるようにして、区分空間に仕切ることができる。
【００４６】
なお、第１仕切り部材６０がポケット３０に取り付けられた状態では、第１仕切り部材６０の下縁部６０Ｂが、ポケット３０の底部３５に当たっている状態でも良く、ポケット３０の底部３５から離れた状態であっても良い。
【００４７】
ここで、扉８が、回転軸ＣＬを中心にしてＲ方向に開閉される。この場合に、第１仕切り部材６０は、図５に例示するように、区分空間Ｔ１内の背の高い瓶２００や、区分空間Ｔ２内の背の高いチューブ３００が左右方向に沿って移動したり転倒したりするのを防ぐ構成になっている。
【００４８】
また、図４に示すように、第２仕切り部材７０は、ほぼ長方形状の板部材である。第２仕切り部材７０の一端部７１は、第１仕切り部材６０の一方の面６７に固定されている。これにより、第２仕切り部材７０は、扉８の内側面８Ｄに対して平行な方向であるＸ方向に沿って、ポケット３０の収容空間Ｔ内に着脱可能に配置され、第２仕切り部材７０によって、ポケット３０の収容空間Ｔ内を区分空間に仕切ることができる。
【００４９】
図３に例示するように、手前側の壁部３１の上縁部３１Ｍと、奥側の壁部３２の上縁部３２Ｍと、第１側部３３の上縁部３３Ｍと、第２側部３４の上縁部３４Ｍとは、Ｚ方向について同じ高さになるように形成されている。すなわち、ポケット３０の手前側の壁部３１の上縁部３１Ｍと、奥側の壁部３２の上縁部３２Ｍと、第１側部３３の上縁部３３Ｍと、第２側部３４の上縁部３４Ｍとは、底部３５から高さ寸法Ｈが、同じである。
【００５０】
これに対して、仕切り具５０の第１仕切り部材６０と第２仕切り部材７０が、ポケット３０に取り付けられる。この状態では、第１仕切り部材６０の上縁部６０Ｎと第２仕切り部材７０の上縁部７０Ｎについては、底部３５からの高さ寸法Ｇが、上述したポケット３０の高さ寸法Ｈに比べて高くなるように設定されている。
【００５１】
これにより、第１仕切り部材６０と第２仕切り部材７０は、比較的背の高いガラスの瓶やプラスチックの瓶２００や、比較的背の高いチューブ３００が、倒れたり、ポケット３０の収容空間Ｔ内から落下してしまうのを防止することができる。
【００５２】
なお、図５では、ポケット３０の収容空間Ｔは、２つの仕切り具５０だけではなく、異なるサイズの仕切り具５０Ｒ、５０Ｐを用いて区分されている例を示している。仕切り具５０Ｒは、仕切り具５０に比べて、第２仕切り部材７０のＸ方向の長さが短く、仕切り具５０Ｒは、仕切り具５０に比べて、第２仕切り部材７０のＸ方向の長さが長くなっている。
【００５３】
これにより、異なる大きさの貯蔵物４００，５００，６００が、倒れたり、ポケット３０の収容空間Ｔ内から落下してしまうのを防止することができる。
【００５４】
以上説明したように、第１実施形態では、収容部としてのポケット３０は、少なくとも１つの仕切り具５０を装着する。この仕切り具５０の第１仕切り部材６０の一端部６１と他端部６２は、扉８の内側面８Ｄに対して交差する方向であるＹ方向に沿って、ポケット３０に取り付けられる。しかも、仕切り具５０の第２仕切り部材７０は、扉８の内側面８Ｄに平行な方向であるＸ方向に沿って、第１仕切り部材６０に取り付けられている。
【００５５】
このように、図３に示すように、仕切り具５０が、ポケット３０の収容空間Ｔ内に装着された状態では、仕切り具５０の上縁部の高さ寸法Ｇは、ポケット３０の上縁部６０Ｎ、７０Ｎの高さ寸法Ｈよりも、高く設定されている。これにより、図５に示すように、扉８の開け閉めにより、貯蔵物（瓶２００，チューブ３００）が転倒しない。また、扉８の開け閉めにより、貯蔵物（瓶２００，チューブ３００）がポケット３０の収容空間Ｔ内からその上縁部３１Ｍを越えて、ポケット３０の収容空間Ｔ内から落下してしまうのを防ぐことができる。このため、ポケット３０の使用勝手が良好になる。
【００５６】
次に、他の実施形態について、図面を参照して、順次説明する。以下に説明する他の実施形態の各要素が、図２から図５に示す第１実施形態の対応する要素と実質的に同じである場合には、同じ符号を記して、その説明を省略する。
【００５７】
（第２実施形態）
図６は、第２実施形態の仕切り具５０Ａを示す斜視図である。図６に示す仕切り具５０Ａが、図４に示す仕切り具５０とほぼ同じ構造を有しているが、仕切り具５０Ａが、仕切り具５０と異なるのは、第２仕切り部材７０の上縁部７０Ｌの形状である。第２仕切り部材７０の上縁部７０Ｌは、上にいくほどＢ方向へ（すなわち扉８の回転半径外側へ）湾曲する湾曲形状にされている。
【００５８】
このように、第２仕切り部材７０の上縁部７０ＬがＢ方向に向けて湾曲しているので、使用者は、上縁部７０Ｌを利用して、貯蔵物（瓶２００，チューブ３００）を、Ｂ方向に沿って手前側に更に容易に取り出し易くなる。
【００５９】
しかも、第２仕切り部材７０の下縁部７０Ｖは、好ましくは隙間７０Ｗを有している。これにより、仕切り具５０Ａの第２仕切り部材７０の重さが軽減されるので、仕切り具５０Ａの軽量化が図れる。
【００６０】
第２実施形態では、第１実施形態の効果に加えて、使用者は、貯蔵物（瓶２００，チューブ３００）を、Ｂ方向に沿って手前側により容易に取り出すことができ、仕切り具５０Ａの第２仕切り部材７０の重さが軽減されるので、仕切り具５０Ａの軽量化が図れる。
【００６１】
（第３実施形態）
図７は、第３実施形態の仕切り具５０Ｂを示す斜視図である。図７に示す仕切り具５０Ｂが、図４に示す仕切り具５０とほぼ同じ構造を有しているが、仕切り具５０Ｂが、仕切り具５０と異なるのは、第２仕切り部材７０が第１仕切り部材６０に対して取り付けられている形態である。すなわち、第２仕切り部材７０は、第１仕切り部材６０に対してＹ方向（前後方向）に移動可能に取り付けられている。
【００６２】
例えば、第２仕切り部材７０と第１仕切り部材６０との間には、移動機構部８０が設けられている。この移動機構部８０は、複数の突起部８１と、複数のガイド孔８２を有する。ガイド孔８２は、第１仕切り部材６０において、間隔を離して設けられている。ガイド孔８２は、Ｙ方向に沿って形成された長穴である。複数の突起部８１は、第２仕切り部材７０の側端部７７において間隔を離して設けられている。これらの突起部８１は、各ガイド孔８２にはめ込まれ、突起部８１の先端部には、留め具８３が取り付られていることで、突起部８１がガイド孔８２から抜けないようになっている。
【００６３】
これにより、第３実施形態では、第１実施形態の効果に加えて、第２仕切り部材７０を、第１仕切り部材６０の一方の面６７において、Ｙ方向に移動可能にすることができる。このため、図３に例示した収容空間Ｔの区分空間Ｔ１、Ｔ２の大きさは、貯蔵物のサイズに応じて、自由に変更することができるので、ポケット３０の使用勝手が向上する。なお、ガイド孔８２をＺ方向に沿った長穴に変更することで、第２仕切り部材７０をＹ方向ではなくＺ方向に移動可能な構成にすることも可能である。
【００６４】
＜第４実施形態＞
図８は、第４実施形態の仕切り具５０Ｃを示す斜視図である。図９は、図８に示す仕切り具５０Ｃを示す平面図である。図９では、一例として、１つの仕切り具５０Ｃと１つの仕切り具５０が、収容空間Ｔを区分空間Ｔ１、Ｔ３、Ｔ５、Ｔ６、ＴＴに区分している。
【００６５】
図８と図９に示す仕切り具５０Ｃが、図４に示す仕切り具５０と異なるのは、第２仕切り部材７０Ｂの形状である。第２仕切り部材７０Ｂは、平面から見てＬ型に形成されている。第２仕切り部材７０Ｂは、区画部分７０Ｃと、区画部分７０Ｄを有している。区画部分７０Ｃは、Ｘ方向に形成され、区画部分７０Ｄは、Ｙ方向に沿って形成されている。
【００６６】
これにより、第４実施形態では、第１実施形態の効果に加えて、第２仕切り部材７０Ｂは、収容空間Ｔにおいて、閉鎖された区分空間ＴＴを形成することができる。このため、使用者が着脱自在の仕切り具５０Ｃを配置することで、仕切り具５０Ｃが、収容空間Ｔにおいて閉鎖された区分空間ＴＴを形成することができ、特別な貯蔵物、例えば高価な貯蔵物を、他の貯蔵物とは分けて、区分空間ＴＴ内に貯蔵することができる。
【００６７】
（第５実施形態）
図１０は、第５実施形態の仕切り具５０Ｄを示す斜視図である。図１０に示すように、仕切り具５０Ｄの第１仕切り部材６０Ｒは、単純な長方形の板材である。第１仕切り部材６０Ｒの第１取付端部６９Ｂと第２取付端部６９Ｃとは、Ｚ方向に沿って形成されている。
【００６８】
ポケット３０の手前側の壁部３１の内側には、ガイド溝部９１が形成され、奥側の壁部３２の内側には、ガイド溝部９２が形成されている。ガイド溝部９１，９２は、Ｚ方向に形成されている。第１仕切り部材６０Ｒの第１取付端部６９Ｂと第２取付端部６９Ｃとは、ガイド溝部９１，９２にそれぞれはめ込まることで案内され、固定されている。
【００６９】
これにより、第５実施形態では、第１実施形態の効果に加えて、仕切り具５０Ｄの第１仕切り部材６０Ｒにはめ込み用のスリットを形成しなくて済むので、第１仕切り部材６０Ｒの形状を簡単化できる。このため、仕切り具５０Ｄの製造コストが低減でき、仕切り具５０Ｄの洗浄が容易に行える。
【００７０】
以上、実施形態を説明したが、実施形態は、例として提示したものであり、発明の範囲を限定することは意図していない。新規な実施形態は、その他の様々な態様で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。また、各実施形態は、任意に組み合わせることができる。
【００７１】
図１に示す冷蔵庫１の構造は、あくまで一例であり、任意の構造を採用することができる。図示した冷蔵庫１は、２枚の扉７,８を有する両開き式の冷蔵庫であるが、１枚の扉を有する片開き式の冷蔵庫であっても良い。
【００７２】
例えば、観音開き扉７,８，と引出し扉９，１０，１１，１２の各前面には、前面板７Ａ，８Ａ，９Ａ，１０Ａ，１１Ａ，１２Ａが配置されている。しかし、このような前面板を配置せずに、観音開き扉７,８，と引出し扉９，１０，１１，１２の各前面は、通常用いられている鋼板であっても良い。
【００７３】
図示した各実施形態では、仕切り具の第１仕切り部材と第２仕切り部材とは、共に孔の開いていない板状の部材である。しかし、仕切り具の第１仕切り部材と第２仕切り部材とは、孔を有する板状の部材であっても良いし、網状の部材であっても良いし、棒状の部材で構成することもできる。仕切り具の第１仕切り部材と第２仕切り部材とは、プラスチック製であっても、アルミニウム等の金属製であっても良い。
【符号の説明】
【００７４】
１      冷蔵庫
１Ａ    本体
２Ｐ    前面開口部
７      扉（一方の扉）
８      扉（他方の扉）
３０    ポケット（収容部の一例）
３１    手前側の壁部
３２    奥側の壁部
５０    仕切り具
６０    第１仕切り部材
６０Ｎ  第１仕切り部材の上縁部
６１    第１仕切り部材の一端部
６２    第１仕切り部材の他端部
６３    第１取付端部
６４    第２取付端部
６５    はめ込み用のスリット部
６６    はめ込み用のスリット部
７０    第２仕切り部材
７０Ｎ  第２仕切り部材の上縁部
８０    移動機構部
【図１】
2019152355.tif 000003
【図２】
2019152355.tif 000004
【図３】
2019152355.tif 000005
【図４】
2019152355.tif 000006
【図５】
2019152355.tif 000007
【図６】
2019152355.tif 000008
【図７】
2019152355.tif 000009
【図８】
2019152355.tif 000010
【図９】
2019152355.tif 000011
【図１０】
2019152355.tif 000012